(57)【要約】【課題】  構造簡易で作成が容易であり、簡単で安価に障子の移動を妨げない網戸のサッシ枠への外れ止めが行える網戸の簡易固定具を提供する。【解決手段】  網戸枠１２の室内側枠片２１と、その室内側枠片２１と間隔をあけて互いに対峙するようにサッシ枠６に設けられた係止壁２２との間に、嵌合側部２３ａが互いに対峙する係止壁２２と網戸枠１２の室内側枠片２１との間の幅寸法より小さい幅で、離脱側部２３ｂが互いに対峙する係止壁２２と網戸枠１２の室内側枠片２１との間の幅寸法より大きい幅の楔形状に形成された状態で、網戸枠１２の室内側枠片２１をサッシ枠６の網戸レール１５に押し付け可能でかつ係止壁２２を押し付け可能に装着され、押し付けによって網戸７をサッシ枠６に固定する押圧材であることを特徴とする。【選択図】  図２
2009191526.tif 000002
【特許請求の範囲】
【請求項１】
網戸枠の上框と下框に設けた凹溝をサッシ枠の網戸レールに左右移動可能に嵌め込んである網戸がサッシ枠から外れるのを防止するようにした網戸の簡易固定具において、押圧材を、押圧材の嵌合側部が網戸枠の室内側枠片と、その室内側枠片と間隔をあけて互いに対峙するようにサッシ枠に設けられた係止壁との間の幅寸法より小さい幅で、押圧材の離脱側部が前記互いに対峙する網戸枠の室内側枠片とサッシ枠の係止壁との間の幅寸法より大きい幅の楔形状に形成し、その楔形状に形成した押圧材を、網戸枠の室内側枠片と、前記サッシ枠の係止壁との間に、網戸枠の室内側枠片をサッシ枠の網戸レールに向けて押し付け可能でかつ係止壁を押し付け可能に押し込んで、網戸をサッシ枠に押し付けることによって固定することを特徴とする網戸の簡易固定具。
【請求項２】
前記押圧材の離脱側部に嵌合側部に向けて雌ねじ部を設け、雌ねじ部にねじ部材を螺合して離脱側部を前記の互いに対峙する網戸枠の室内側枠片とサッシ枠の係止壁との間の幅寸法より大きい幅に形成したことを特徴とする請求項１記載の網戸の簡易固定具。
【請求項３】
前記押圧材の離脱側部に室内側部分と室外側部分に分けるスリットを嵌合側部に向けて途中迄設け、該スリットに楔片を打ち込んで離脱側部を前記の互いに対峙する網戸枠の室内側枠片とサッシ枠の係止壁との間の幅寸法より大きい幅に形成したことを特徴とする請求項１記載の網戸の簡易固定具。
【発明の詳細な説明】
【技術分野】
【０００１】
本発明は、網戸がサッシ枠から外れるのを防止するようにした網戸の簡易固定具に関する。
【背景技術】
【０００２】
一般に引違いサッシの網戸では、内、外障子を閉鎖し網戸と内障子とが対向した状態で一方の端側で網戸の竪框とサッシ枠の竪枠とが相対するように位置され、虫が室内に侵入しないようにした状態で、内障子を開いて換気を行うようにしている。このような網戸は、経年変化によってサッシ枠に左右移動可能に嵌め込まれている網戸の戸車等が老朽化し、網戸の動きが鈍くなることで網戸を左右移動させる際にサッシ枠から外れ易くなり落下する問題がある。このため、図８に示すように、網戸５２をサッシ枠５１に固定することで網戸５２の落下を防止することが知られている。図８について説明すると、網戸５２を前記のようにサッシ枠５１の一方の端側とし、その状態で、サッシ枠５１の室内側片５９と室外側片６０とを有するコ字形状の竪枠５３の室外側片６０に設けたねじ孔５６に、網戸５２の竪框５５に設けた貫通孔５７を通したネジ５８を螺合させることで、サッシ枠５１に網戸５２を押し付けた状態で固定している。網戸５２は前記のような位置で使われるため、網戸５２をサッシ枠５１に固定しても問題がないためである。尚、かかる先行技術は、文献公知発明に係るものでないため、記載すべき先行技術文献情報はない。
【０００３】
また、特許文献１のような、サッシ枠に左右移動可能に嵌め込まれている外障子を固定する補助ロック装置が知られている。補助ロック装置は、室外側の引き戸（外障子）と戸枠（サッシ枠）の室内段差の間にケーシングに備えた第１、２拡張片を夫々嵌め込み、第１、２拡張片を広げることで、第２拡張片が室内段差を押し付けると同時に、第１拡張片が引き戸の横桟を室外側に向けて押し付けるように構成されている。
【０００４】
【特許文献１】特開２００６−１４４５１６号公報
【発明の開示】
【発明が解決しようとする課題】
【０００５】
図８のように、既存のサッシ枠にネジ孔を設けるためには、室内側からサッシ枠の室内側片を避けるようにドリル等の工具を斜めに移動させなければならない。よって、確実にネジ孔等を設けるためには専門の業者に依頼するしかなく、既存のサッシ枠に網戸を固定するためには人件費等の費用がかかる問題があった。また、特許文献１の構成を利用して網戸の横框と対峙する係止壁との間に、第１、２拡張片を嵌め込み、第１、２拡張片を広げることで、第２拡張片が係止壁を押し付けると同時に、第１拡張片が網戸の下框を室外側に向けて押し付けて網戸をサッシ枠に固定させることが考えられる。しかし、第１、２拡張片を備えたケーシングを係止壁の上方に配置しなければならず、係止壁の上方に配置される外障子の移動の邪魔になり、外障子を開いた際に外障子がケーシングにぶつかり壊れたり外れたりしてしまう問題があった。また、網戸枠の室内側枠片とサッシ枠の係止壁との間の幅が小さいので、拡張片を広げる操作手段を小型に製作しなければならず、操作手段が小型になると操作することが困難で押し付け力も小さいという問題があった。
【０００６】
そこで、本発明は、上記問題点に鑑みなされたものであって、簡単な構成で、障子の移動の邪魔にならず、網戸をサッシ枠に簡単に固定できる安価な網戸の簡易固定具を提供するものである。
【課題を解決するための手段】
【０００７】
上記目的を達成するために、請求項１に記載の発明は、網戸枠の上框と下框に設けた凹溝をサッシ枠の網戸レールに左右移動可能に嵌め込んである網戸がサッシ枠から外れるのを防止するようにした網戸の簡易固定具において、押圧材を、押圧材の嵌合側部が網戸枠の室内側枠片と、その室内側枠片と間隔をあけて互いに対峙するようにサッシ枠に設けられた係止壁との間の幅寸法より小さい幅で、押圧材の離脱側部が前記互いに対峙する網戸枠の室内側枠片とサッシ枠の係止壁との間の幅寸法より大きい幅の楔形状に形成し、その楔形状に形成した押圧材を、網戸枠の室内側枠片と、前記サッシ枠の係止壁との間に、網戸枠の室内側枠片をサッシ枠の網戸レールに向けて押し付け可能でかつ係止壁を押し付け可能に押し込んで、網戸をサッシ枠に押し付けることによって固定することを特徴とする。
【０００８】
請求項２に記載の発明は、前記押圧材の離脱側部に嵌合側部に向けて雌ねじ部を設け、雌ねじ部にねじ部材を螺合して離脱側部を前記の互いに対峙する網戸枠の室内側枠片とサッシ枠の係止壁との間の幅寸法より大きい幅に形成したことを特徴とする。
請求項３に記載の発明は、前記押圧材の離脱側部に室内側部分と室外側部分に分けるスリットを嵌合側部に向けて途中迄設け、該スリットに楔片を打ち込んで離脱側部を前記の互いに対峙する網戸枠の室内側枠片とサッシ枠の係止壁との間の幅寸法より大きい幅に形成したことを特徴とする。
【発明の効果】
【０００９】
本願の請求項１の発明では、押圧材を、押圧材の嵌合側部が網戸枠の室内側枠片と、その室内側枠片と間隔をあけて互いに対峙するようにサッシ枠に設けられた係止壁との間の幅寸法より小さい幅で、押圧材の離脱側部が前記互いに対峙する網戸枠の室内側枠片とサッシ枠の係止壁との間の幅寸法より大きい幅の楔形状に形成し、その楔形状に形成した押圧材を、網戸枠の室内側枠片と、前記サッシ枠の係止壁との間に、網戸枠の室内側枠片をサッシ枠の網戸レールに向けて押し付け可能でかつ係止壁を押し付け可能に押し込んで、網戸をサッシ枠に押し付けることによって固定するので、簡単な構造で固定できる。また、室内側枠片と係止壁の間に押し込むことで固定できるので、簡単に安価に実施できる。また、室内側片と係止壁の間に圧入するので、障子の下方に位置させることができ障子の移動の邪魔にならない。
【００１０】
また、本願の請求項２の発明では、前記押圧材の離脱側部に嵌合側部に向けて雌ねじ部を設け、雌ねじ部にねじ部材を螺合して離脱側部を前記の互いに対峙する網戸枠の室内側枠片とサッシ枠の係止壁との間の幅寸法より大きい幅に形成した。また、本願の請求項３の発明では、前記押圧材の離脱側部に室内側部分と室外側部分に分けるスリットを嵌合側部に向けて途中迄設け、該スリットに楔片を打ち込んで離脱側部を前記の互いに対峙する網戸枠の室内側枠片とサッシ枠の係止壁との間の幅寸法より大きい幅に形成した。これらによれば、ねじ部材や楔片により押圧材を楔形状とするので、押圧材を楔形状に成型する必要が無く、押し付け力の調整が容易に行える。
【発明を実施するための最良の形態】
【００１１】
実施の形態について、図１から図３を参照して説明する。引違いサッシ１は、上枠２と下枠３と左右の竪枠４、５を枠組みして構成されたサッシ枠６に、網戸７と内障子４７と外障子４６が左右移動可能に嵌め込まれて構成されている。網戸７は、上框８、下框９および左右の竪框１０、１１からなる方形状の網戸枠１２と、この網戸枠１２に張り付けられた網１３とを備えている。網戸７は、網戸７の上框８の上室内側枠片２４とキャップ１６で形成された嵌合溝としての凹溝７ａと網戸７の下框９に形成された凹溝９ａに設けられた戸車７ｂが上枠２の室外側片（上網戸レール）１４と下枠３の下網戸レール１５に夫々嵌合されて上、下網戸レール１４、１５に沿って左右移動可能に設けられている。また、引違いサッシ１の網戸７は、内、外障子４７，４６を閉鎖し網戸７と内障子４７とが対向した状態で、一方の端側で網戸７の竪框１０とサッシ枠６の竪枠４とが重なるような位置で使われている。
【００１２】
引違いサッシ１には、サッシ枠６に左右移動可能に嵌め込んである網戸７をサッシ枠６に押し付けて固定するようにした網戸の簡易固定具２３が使われる。サッシ枠６の下枠３には、網戸７の網戸枠１２の室内側にその網戸枠１２の下框９の凹溝９ａの室内側の下室内側枠片２１と間隔をあけて対峙する下係止壁２２が設けられている。網戸の簡易固定具２３は、楔形状に形成した押圧材（例えばゴム部材からなる弾性変形材）であり、押圧材の嵌合側部２３ａの幅の寸法Ａが互いに対峙する下係止壁２２と網戸枠１２の下框９の下室内側枠片２１との間の幅寸法Ｃより小さい幅で、離脱側部２３ｂの幅の寸法Ｂが互いに対峙する下係止壁２２と網戸枠１２の下框９の下室内側枠片２１との間の幅寸法Ｃより大きい幅に形成されている。図３に示すように、網戸の簡易固定具２３は、互いに対峙する下係止壁２２と網戸枠１２の下框９の下室内側枠片２１の間で、網戸７の左右移動方向で網戸７の竪框１０とサッシ枠６の竪枠４とが重なる側の端部に設けられている。
【００１３】
網戸の簡易固定具２３は、下係止壁２２と網戸枠１２の下框９の下室内側枠片２１との間に嵌合側部２３ａから先に入れて押し込むことで、下係止壁２２と網戸枠１２の下框９の下室内側枠片２１に押し付けて装着されると共に、網戸の簡易固定具２３で網戸枠１２の下框９の下室内側枠片２１をサッシ枠６の下網戸レール１５に押し付けて、網戸７をサッシ枠６に固定するようにしている。これにより、網戸７がサッシ枠６から外れるのを防止することができる。また、図７に示すように、網戸の簡易固定具２３に取っ手４９が設けられると、網戸の簡易固定具２３を取り外すときに、より簡単に取り外すことができる。網戸の簡易固定具２３は、下係止壁２２と下室内側枠片２１間に押し込まれた状態で高さが外障子４６を左右移動させても網戸の簡易固定具２３の上端部が外障子４６に接触しないようになっている。また、取っ手４９が設けられた網戸の簡易固定具２３でも、下係止壁２２と下室内側枠片２１間に押し込まれた状態で高さが外障子４６を左右移動させても取っ手４９の上端部が外障子４６に接触しないようになっている。網戸の簡易固定具２３を取り外せば、サッシ枠６に固定されていた網戸７を下網戸レール１５に沿って左右移動させることができる。なお、網戸の簡易固定具２３は、互いに対峙する下係止壁２２と網戸枠１２の下框９の下室内側枠片２１の間のどこに設けてもよく、網戸の簡易固定具２３を複数個用意して、複数箇所に設けてもよい。
【００１４】
本実施形態では、網戸の簡易固定具２３を互いに対峙する下係止壁２２と網戸枠１２の下框９の下室内側枠片２１の間に設けることによって、網戸７をサッシ枠６に押し付けて固定しているが、図４に示すようにサッシ枠６の上枠２に、網戸７の網戸枠１２の室内側にその網戸枠１２の上框８の上室内側枠片２４と間隔をあけて対峙する外障子用上レール２６の上部を上係止壁２５として使って、網戸の簡易固定具２３を、Ｄ寸法で示す互いに対峙する上係止壁２５と網戸枠１２の上框８の上室内側枠片２４の間に、外障子４６を左右移動させても外障子４６と接触しないように押し込んで、網戸７をサッシ枠６に押し付けて固定してもよい。
【００１５】
上記のように、網戸の簡易固定具２３が楔形状の押圧材で構成されているので、簡単な構造となり、また、背景技術のように工具を使って貫通孔を穿設してねじで網戸をサッシ枠に押し付ける場合に比べて安価に押し付けて固定することができる。また、下室内側枠片２１と下係止壁２２の間に押し込むだけで、網戸枠１２の下框９の下室内側枠片２１をサッシ枠６の下網戸レール１５に弾性により押し付けて簡単にサッシ枠６に網戸７を固定して外れ止めすることができる。また、下室内側枠片２１と下係止壁２２の間に押し込むので、外障子４６の下方に位置させることができ外障子４６の移動の邪魔にならない。また、網戸の簡易固定具２３を互いに対峙する係止壁２２と網戸枠１２の上，下室内側枠片２１，２４の間のどこに設けてもよいので、誰でも簡単に網戸７をサッシ枠６に固定することができる効果もある。
【００１６】
次に、第２の実施の形態について図５により説明する。前記第１の実施の形態と、同一の部分には同一の符号を付けて、説明を省略する。押圧材（弾性変形材）の網戸の簡易固定具３１の離脱側部３３ｂには、嵌合側部３３ａに向けて雌ねじ部３２ａ，３２ｂが室内外方向で室内側寄りと室外側寄りの２箇所に設けられている。これら２箇所の雌ねじ部３２ａ，３２ｂにそれぞれねじ部材３４を離脱側部３３ｂから嵌合側部３３ａに向けて途中まで螺合させることで、押圧材の室内、室外側寄りの雌ねじ部３２ａの両側面３２ｃ，３２ｄを外側に変形させ凸部３２ｅ，３２ｆを形成して押圧材３５を楔形状に形成し、網戸の簡易固定具３１としている。
【００１７】
まず、ねじ部材３４を螺合させることによって押圧材３５を楔形状に形成し網戸の簡易固定具３１とする。これによって、変形させた離脱側部３３ｂの凸部３２ｅ，３２ｆ間の幅を、互いに対峙するように設けられた下係止壁２２と網戸７の網戸枠１２の下框９の下室内側枠片２１との間の幅寸法より大きく形成する。この網戸の簡易固定具３１が嵌合側部３３ａから先に網戸７の網戸枠１２の下框９の下室内側枠片２１と下係止壁２２との間に押し込められて装着される。下係止壁２２を押し付けると同時に、網戸７の網戸枠１２の下框９の下室内側枠片２１もサッシ枠６の下網戸レール１５に押し付けることによって、網戸７をサッシ枠６に固定している。網戸の簡易固定具３１は、下係止壁２２と下室内側枠片２１間に押し込まれた状態で高さが外障子４６を左右移動させてもねじ部材３４の上端部が外障子４６に接触しないようになっている。また、網戸の簡易固定具３１の２箇所の雌ねじ部３２ａ，３２ｂにそれぞれ螺合されたねじ部材３４を持って網戸の簡易固定具３１を取り出せば、網戸７を下網戸レール１５に沿って左右移動させることができる。押圧材３５の室内外方向の幅のＧ寸法はＣ寸法より小さく、２箇所の雌ねじ部３２ａ，３２ｂにねじ部材３４を螺合させて室内外方向に変形させた網戸の簡易固定具３１の離脱側部３３ｂの室内外方向の幅のＨ寸法はＣ寸法よりも大きくなっている。なお、網戸の簡易固定具３１に螺合させているねじ部材３４は何本でもよい。例えば、室内外方向で室内側寄りと室外側寄りに交互に幾つか設けられた雌ねじ孔にねじ部材を螺合させたり、室内側寄りか室外側寄りかのどちらかの１箇所に設けられた雌ねじ孔にねじ部材を螺合させたりして、室内外方向へ変形させた網戸の簡易固定具３１の離脱側部３３ｂを、互いに対峙するように設けられた下係止壁２２と網戸７の網戸枠１２の下框９の下室内側枠片２１との間の幅寸法より大きい幅に形成してもよい。
【００１８】
次に、第３の実施の形態について説明する。前記第１の実施の形態と、同一の部分には同一の符号を付けて、説明を省略する。押圧材（弾性変形材）４５の離脱側部４３ｂには、室内側部分と室外側部分に分けるスリット４２が嵌合側部４３ａに向けて途中迄設けられている。そして、そのスリット４２に楔片４４を打ち込んで側面４３ｃ，４３ｄを室内外方向へ変形させて、押圧材を楔形状に形成して網戸の簡易固定具４１としている。そして、室内外方向へ変形させた離脱側部４３ｂが、互いに対峙するように設けられた下係止壁２２と網戸７の網戸枠１２の下框９の下室内側枠片２１との間の幅寸法Ｃより大きい幅に形成された後に、網戸の簡易固定具４１が嵌合側部４３ａから先に網戸７の網戸枠１２の下框９の下室内側枠片２１と下係止壁２２との間に入れられて装着され、下係止壁２２を押し付けると同時に、網戸７の網戸枠１２の下框９の下室内側枠片２１もサッシ枠６の下網戸レール１５に押し付けることによって、網戸７をサッシ枠６に固定している。網戸の簡易固定具４１は、下係止壁２２と下室内側枠片２１間に押し込まれた状態で高さが外障子４６を左右移動させても楔片４４の上端部が外障子４６に接触しないようになっている。押圧材４５の室内外方向の幅のＥ寸法はＣ寸法より小さく、スリット４２に楔片４４を打ち込んで室内外方向に広がった網戸の簡易固定具４１の離脱側部４３ｂの室内外方向の幅のＦ寸法はＣ寸法より大きくなっている。また、網戸の簡易固定具４１に前記実施の形態体と略同様に取っ手を設けておき、取っ手を持って網戸の簡易固定具４１を取り外せば、網戸７を下網戸レール１５に沿って左右移動させることができる。
【００１９】
上記のように、第２，３の実施の形態は、ねじ部材３４や楔片４４により押圧材３５，４５を楔形状とするので、押圧材３５，４５を楔形状に成型する必要が無く、ねじ部材３４の螺合のさせ方や楔片４４の打ち込み方の程度によって、網戸７のサッシ枠６に対する押し付け力の調整が容易に行える効果がある。
【図面の簡単な説明】
【００２０】
【図１】本発明の網戸の簡易固定具を備えた引違いサッシを示す図である。
【図２】図１のＩＩ−ＩＩ線断面図である。
【図３】図１のＩＩＩ−ＩＩＩ線断面図である。
【図４】網戸の簡易固定具を互いに対峙する上係止壁と網戸枠の上框の上室内側枠片の間に設けた場合の図である。
【図５】（ａ）は、第２の実施の形態で、螺合させているねじ部材を取り出した網戸の簡易固定具の平面図と正面図で、（ｂ）は、ねじ部材が螺合されている網戸の簡易固定具の平面図と正面図である。
【図６】（ａ）は、第３の実施の形態で、楔片を取り外した網戸の簡易固定具の正面図で、（ｂ）は、楔片をスリットに打ち込まれた網戸の簡易固定具の正面図である。
【図７】取っ手を設けた網戸の簡易固定具の説明図である。
【図８】従来技術を示す図である。
【符号の説明】
【００２１】
６      サッシ枠
７      網戸
７ａ    凹溝
８      上框
９      下框
９ａ    凹溝
１２    網戸枠
１４    網戸レール
１５    網戸レール
２１    室内側枠片
２２    係止壁
２３    網戸の簡易固定具
２３ａ  嵌合側部
２３ｂ  離脱側部
２４    室内側枠片
２５    係止壁
３１    網戸の簡易固定具
３２ａ  雌ねじ部
３２ｂ  雌ねじ部
３３ａ  嵌合側部
３３ｂ  離脱側部
３４    ねじ部材
４１    網戸の簡易固定具
４２    スリット
４３ａ  嵌合側部
４３ｂ  離脱側部
４４    楔片
【図１】
2009191526.tif 000003
【図２】
2009191526.tif 000004
【図３】
2009191526.tif 000005
【図４】
2009191526.tif 000006
【図５】
2009191526.tif 000007
【図６】
2009191526.tif 000008
【図７】
2009191526.tif 000009
【図８】
2009191526.tif 000010